(57)【要約】【課題】ガラス板を備えたタイプの体重計であって、ユーザが掴み易く、持ち運びし易いものを提供すること。【解決手段】ガラス板１０の下面１０ｂ側でガラス板１０の四隅に相当する領域にそれぞれ４つのロードセル５１，５２，５３，５４が配置されている。ガラス板１０の下面１０ｂ側でガラス板１０の１辺１０ｃの中央部に相当する領域１６に制御部２０が配置されている。４つのロードセル５１，５２，５３，５４と制御ボード２０とをそれぞれ接続するように、ガラス板１０の下面１０ｂの周辺に沿ってロードセル用配線７１，７２，７３，７４が配置されている。ガラス板１０の下面１０ｂの周辺１０ｃ，１０ｅ，１０ｆに沿って、ロードセル用配線７１，７２，７３，７４を収容するカバー部材３６，３７，３８が配置されている。【選択図】図２
0003168424.tif 000002
【実用新案登録請求の範囲】
【請求項１】
上面に人を載せるべき実質的に矩形状のガラス板と、
上記ガラス板の下面側で上記ガラス板の四隅に相当する領域にそれぞれ配置された４つのロードセルと、
上記ガラス板の下面側で上記ガラス板の１辺の中央部に相当する領域に配置された制御部と、
上記４つのロードセルと上記制御部とをそれぞれ接続するように、上記ガラス板の下面の周辺に沿って配置されたロードセル用配線と、
上記ガラス板の下面の周辺に沿って配置され、上記ロードセル用配線を収容するカバー部材とを備えたことを特徴とする体重計。
【請求項２】
請求項１に記載の体重計において、
上記ロードセル用配線は、上記ガラス板の下面のうち上記１辺とこの１辺に隣り合う２辺との３辺に沿って配置され、
上記カバー部材は上記３辺に沿って設けられていることを特徴とする体重計。
【請求項３】
請求項１または２に記載の体重計において、
上記ガラス板の下面側の上記四隅に相当する領域に、上記４つのロードセルをそれぞれ覆う４つのロードセル用ハウジングを備え、
上記カバー部材と上記４つのロードセル用ハウジングとが一体に形成され、上記カバー部材の内部と上記４つのロードセル用ハウジングの内部とが連通していることを特徴とする体重計。
【請求項４】
請求項３に記載の体重計において、
上記ガラス板の上面に、左足の爪先を載せるべき第１電極、右足の爪先を載せるべき第２電極、左足の踵を載せるべき第３電極、および右足の踵を載せるべき第４電極を備え、
鉛直視で、上記４つのロードセル用ハウジングは、上記ガラス板を介して、それぞれ上記第１電極、第２電極、第３電極および第４電極と重なっており、
上記ガラス板のうち、上記４つのロードセル用ハウジングと上記第１電極、第２電極、第３電極、第４電極とがそれぞれ重なった領域に、上記ガラス板を鉛直方向に貫通する貫通穴がそれぞれ設けられ、
上記第１電極、第２電極、第３電極および第４電極から延びる電極用配線が、それぞれ対応する上記貫通穴および上記ロードセル用ハウジングの内部を通り、さらに上記カバー部材の内部を通って上記制御部にそれぞれ接続されていることを特徴とする体重計。
【請求項５】
請求項３または４に記載の体重計において、
上記ガラス板の下面に対して垂直な鉛直視で、上記ロードセル用ハウジングは、上記ガラス板の対応する隅の形状に一致した形状をもつ外端部と、上記外端部に連なり膨らんだ中心部と、上記中心部に関して上記外端部と反対側に配置され上記外端部と点対称をなす内端部とを有することを特徴とする体重計。
【考案の詳細な説明】
【技術分野】
【０００１】
この考案は体重計に関し、より詳しくは、上面に人を載せるべきガラス板を備えたタイプの体重計に関する。
【背景技術】
【０００２】
最近、この種の体重計としては、例えば特開２００３−１０２６９７号公報に開示されているように、上面に人を載せるべきガラス板を備えたものが知られている。ガラス板の下面側の四隅にはそれぞれロードセルが取り付けられ、ガラス板上に載った人の体重は、それらのロードセルにかかる荷重の合計として算出される。ガラス板は、ＡＢＳ（アクリロニトリルブタジエンスチレン共重合体）のような樹脂板よりも高い剛性を有することから、体重の計測精度を向上させることができる。
【先行技術文献】
【特許文献】
【０００３】
【特許文献１】特開２００３−１０２６９７号公報
【考案の概要】
【考案が解決しようとする課題】
【０００４】
ここで、樹脂板に比してガラス板は重いため、ガラス板を備えたタイプの体重計は全体として重量が重くなる。しかしながら、従来のガラス板を備えたタイプの体重計では、ガラス板の周辺部（ロードセルが取り付けられている四隅を除く。）は薄いまま、つまりガラス板の厚さのままになっている。このため、ユーザが体重計を掴み難く、持ち運びし難いという問題がある。
【０００５】
そこで、この考案の課題は、ガラス板を備えたタイプの体重計であって、ユーザが掴み易く、持ち運びし易いものを提供することにある。
【課題を解決するための手段】
【０００６】
上記課題を解決するため、この考案の体重計は、
上面に人を載せるべき実質的に矩形状のガラス板と、
上記ガラス板の下面側で上記ガラス板の四隅に相当する領域にそれぞれ配置された４つのロードセルと、
上記ガラス板の下面側で上記ガラス板の１辺の中央部に相当する領域に配置された制御部と、
上記４つのロードセルと上記制御部とをそれぞれ接続するように、上記ガラス板の下面の周辺に沿って配置されたロードセル用配線と、
上記ガラス板の下面の周辺に沿って配置され、上記ロードセル用配線を収容するカバー部材とを備えたことを特徴とする。
【０００７】
この考案の体重計では、人がガラス板上に載ったとき、上記ガラス板を介して上記ガラス板の下面側で四隅に相当する領域にそれぞれ配置された４つのロードセルに荷重がかかる。それらの荷重は、それぞれロードセルで電気信号に変換されて、それぞれロードセル用配線を通して制御部へ送られる。上記制御部は、それらのロードセル用配線を通して受けた電気信号に基づいて、それらの電気信号が表す荷重を合計して、上記人の体重を算出する。ガラス板は、ＡＢＳ（アクリロニトリルブタジエンスチレン共重合体）のような樹脂板よりも高い剛性を有することから、体重の計測精度を高くできる。
【０００８】
また、この体重計では、上記カバー部材が、上記ロードセル用配線を収容するために、或る高さを有する。したがって、この体重計は、ユーザが上記カバー部材に手の指を引っかけることで上記ガラス板の周辺部を掴み易く、持ち運びし易い。しかも、上記ロードセル用配線は、上記ガラス板の下面の周辺に沿って配置されたカバー部材に収容されているので、見栄えを良くすることができる。
【０００９】
一実施形態の体重計では、
上記ロードセル用配線は、上記ガラス板の下面のうち上記１辺とこの１辺に隣り合う２辺との３辺に沿って配置され、
上記カバー部材は上記３辺に沿って設けられていることを特徴とする。
【００１０】
この一実施形態の体重計では、上記ロードセル用配線は、上記ガラス板の下面のうち上記１辺とこの１辺に隣り合う２辺との３辺に沿って配置され、上記カバー部材は上記３辺に沿って設けられている。したがって、上記カバー部材が上記ガラス板の４辺に沿って設けられている場合に比して、上記カバー部材の材料を少なくでき、したがってコストを低減できる。
【００１１】
一実施形態の体重計は、
上記ガラス板の下面側の上記四隅に相当する領域に、上記４つのロードセルをそれぞれ覆う４つのロードセル用ハウジングを備え、
上記カバー部材と上記４つのロードセル用ハウジングとが一体に形成され、上記カバー部材の内部と上記４つのロードセル用ハウジングの内部とが連通していることを特徴とする。
【００１２】
この一実施形態の体重計では、上記４つのロードセル用ハウジングによって上記４つのロードセルがそれぞれ保護される。また、上記カバー部材と上記４つのロードセル用ハウジングとが一体に形成され、上記カバー部材の内部と上記４つのロードセル用ハウジングの内部とが連通しているので、上記ロードセル用配線は、上記４つのロードセルから上記カバー部材の内部と上記ロードセル用ハウジングの内部とを通して上記制御部まで達することができる。したがって、上記ロードセル用配線が露出することがなく、見栄えを良くすることができる。また、上記カバー部材と上記４つのロードセル用ハウジングとが一体に形成されているので、ばらばらに形成されている場合に比して、体重計の組み立て工程が簡単かつ容易になる。また、上記カバー部材と上記４つのロードセル用ハウジングとを、例えば押出成形によって同時に形成すれば、コストを低減できる。
【００１３】
一実施形態の体重計では、
上記ガラス板の上面に、左足の爪先を載せるべき第１電極、右足の爪先を載せるべき第２電極、左足の踵を載せるべき第３電極、および右足の踵を載せるべき第４電極を備え、
鉛直視で、上記４つのロードセル用ハウジングは、上記ガラス板を介して、それぞれ上記第１電極、第２電極、第３電極および第４電極と重なっており、
上記ガラス板のうち、上記４つのロードセル用ハウジングと上記第１電極、第２電極、第３電極、第４電極とがそれぞれ重なった領域に、上記ガラス板を鉛直方向に貫通する貫通穴がそれぞれ設けられ、
上記第１電極、第２電極、第３電極および第４電極から延びる電極用配線が、それぞれ対応する上記貫通穴および上記ロードセル用ハウジングの内部を通り、さらに上記カバー部材の内部を通って上記制御部にそれぞれ接続されていることを特徴とする。
【００１４】
この一実施形態の体重計では、上記ガラス板の上面に、左足の爪先を載せるべき第１電極、右足の爪先を載せるべき第２電極、左足の踵を載せるべき第３電極、および右足の踵を載せるべき第４電極が設けられている。上記第１電極、第２電極、第３電極および第４電極から延びる電極用配線が、上記制御部にそれぞれ接続されている。したがって、この体重計は、上記４つの電極を用いて四端子法により生体インピーダンス等を測定することができる。つまり、体組成計としての機能をもつことができる。しかも、この体重計では、上記４つの電極から延びる電極用配線が、それぞれ対応する上記貫通穴および上記ロードセル用ハウジングの内部を通り、さらに上記カバー部材の内部を通って上記制御部にそれぞれ接続されている。したがって、上記電極用配線が露出することがなく、見栄えを良くすることができる。
【００１５】
一実施形態の体重計では、上記ガラス板の下面に対して垂直な鉛直視で、上記ロードセル用ハウジングは、上記ガラス板の対応する隅の形状に一致した形状をもつ外端部と、上記外端部に連なり膨らんだ中心部と、上記中心部に関して上記外端部と反対側に配置され上記外端部と点対称をなす内端部とを有することを特徴とする。
【００１６】
一実施形態の体重計では、上記ガラス板の下面に対して垂直な鉛直視で、上記ロードセル用ハウジングは、上記ガラス板の対応する隅の形状に一致した形状をもつ外端部と、上記外端部に連なり膨らんだ中心部と、上記中心部に関して上記外端部と反対側に配置され上記外端部と点対称をなす内端部とを有する。つまり、上記ロードセル用ハウジングの平面形状は、木の葉状になっている。したがって、見栄えを良くすることができる。
【考案の効果】
【００１７】
以上より明らかなように、この考案の体重計は、ガラス板を備えたタイプの体重計であって、ユーザが掴み易く、持ち運びし易いものである。
【図面の簡単な説明】
【００１８】
【図１】この考案の一実施形態の体重計の上面側のレイアウトを示す図である。
【図２】上記体重計の下面側のレイアウトを示す図である。
【図３】図２におけるIII−III線矢視断面を示す図である。
【図４】上記体重計の変形例を示す図である。
【考案を実施するための形態】
【００１９】
以下、この考案を図示の実施の形態により詳細に説明する。
【００２０】
図１は、この考案の一実施形態の体重計（全体を符号９０で示す。）の上面１０ａ側のレイアウトを示し、また、図２は、体重計９０の下面１０ｂ側のレイアウトを示している。なお、上面１０ａ、下面１０ｂという呼び方は、この体重計９０が使用される状態に合わせて定めている。
【００２１】
図１に示すように、この体重計９０は、上面１０ａに人を載せるべき略矩形の平面形状を有するガラス板１０を備えている。この例では、ガラス板１０の互いに対向する２辺（図１中の上下の辺）１０ｃ，１０ｄの寸法は、残りの２辺（図１中の左右の辺）１０ｅ，１０ｆの寸法よりも長く設定されており、この結果、ガラス板１０の平面形状は、全体として横長の長方形になっている。ガラス板１０の四隅は、ガラス板１０に対して垂直に見て、丸く面取り１０ｒが施されている。ガラス板１０の厚さは、実質的に均一になっている（ただし、ガラス板１０の四辺に沿って、僅かな面取り１０ｇを施している。）。
【００２２】
ガラス板１０の上面１０ａ側で１辺１０ｃの中央部に沿った領域１６には、測定された体重等の情報を表示するためのＬＣＤ（液晶表示素子）からなる表示部２２が設けられている。ガラス板１０の中央部に相当する領域１５には、ユーザが測定開始等を指示するための３つのスイッチ２１が設けられている。これらの表示部２２とスイッチ２１は、ガラス板１０に対して垂直に見て、後述の下面１０ｂ側の制御部用ハウジング３５と重なって設けられている。
【００２３】
また、ガラス板１０の上面１０ａ側で四隅に相当する領域１１，１２，１３，１４には、この体重計９０が体組成計としても機能するように、左足の爪先側に接触すべき第１電極１、右足の爪先側に接触すべき第２電極２、左足の踵に接触すべき第３電極３、および右足の踵に接触すべき第４電極４がそれぞれ取り付けられている。ガラス板１０のうち第１電極１、第２電極２、第３電極３、第４電極４の直下には、これらの４つの電極１，２，３，４から延びる配線をガラス板１０の下面１０ｂ側へ通すための貫通穴４１，４２，４３，４４がそれぞれ設けられている。これらの貫通穴４１，４２，４３，４４は、ガラス板１０に対して垂直に見て、後述の下面１０ｂ側のロードセル用ハウジング３１，３２，３３，３４と重なって設けられている。
【００２４】
図２に示すように、ガラス板１０の下面１０ｂ側でガラス板１０の四隅に相当する領域１１，１２，１３，１４にそれぞれ４つのロードセル５１，５２，５３，５４が配置されている。これら４つのロードセル５１，５２，５３，５４は、それぞれロードセル用ハウジング３１，３２，３３，３４に覆われて保護されている。４つのロードセル用ハウジング３１，３２，３３，３４の底面（使用状態で下方を向く面）には、それぞれ略円柱状の脚６１，６２，６３，６４を通すための円形の開口３１ｗ，３２ｗ，３３ｗ，３４ｗが設けられている。４つの脚６１，６２，６３，６４は、それぞれ開口３１ｗ，３２ｗ，３３ｗ，３４ｗを通してハウジング３１，３２，３３，３４内から若干突出する態様で、ハウジング３１，３２，３３，３４に対して進退可能に支持されている。なお、図３（図２におけるIII−III線矢視断面を示す。）中に、２つの脚６３，６４がハウジング３３，３４から突出している態様を示している。
【００２５】
図２に示すように、ガラス板１０に対して垂直に見て、ロードセル用ハウジング３１は、ガラス板１０の対応する隅の形状（丸く面取りされている）に一致した形状をもつ外端部３１ｃと、この外端部３１ｃに連なり膨らんだ中心部３１ｂと、この中心部３１ｂに関して外端部３１ｃと点対称をなす内端部３１ａとを有している。他のロードセル用ハウジング３２，３３，３４も同様に、ガラス板１０の対応する隅に一致した形状をもつ外端部３２ｃ，３３ｃ，３４ｃと、それぞれ外端部３２ｃ，３３ｃ，３４ｃに連なり膨らんだ中心部３２ｂ，３３ｂ，３４ｂと、それぞれ中心部３２ｂ，３３ｂ，３４ｂに関して外端部３２ｃ，３３ｃ，３４ｃと点対称をなす内端部３２ａ，３３ａ，３４ａとを有している。このように、ロードセル用ハウジング３１，３２，３３，３４の平面形状は、概ね木の葉状になっている。したがって、見栄えを良くすることができる。
【００２６】
また、ガラス板１０の下面１０ｂ側でガラス板１０の１辺（図２における上辺）１０ｃの中央部に相当する領域１６に、制御部としての略矩形の制御ボード２０が配置されている。制御ボード２０は、略矩形の制御部用ハウジング３５によって覆われて保護されている。制御部用ハウジング３５は、ガラス板１０に対して垂直に見て、図２において１辺１０ｃに沿った領域１６からガラス板１０の中央部に相当する領域１５まで延在する略長方形の形状になっている。ハウジング３５のうち領域１５側の部分３９には、この体重計９０の電源としての乾電池が収容される。
【００２７】
ガラス板１０の下面１０ｂの周辺、この例では図２における上辺１０ｃと、この上辺１０ｃに隣り合う２辺１０ｅ，１０ｆに沿って、カバー部材３６，３７，３８が配置されている。図３から分かるように、これらのカバー部材３６，３７，３８の断面は、或る高さＨを有する略Ｕ字状に形成されている。これらのカバー部材３６，３７，３８と、図２中に示す４つのロードセル用ハウジング３１，３２，３３，３４と、制御部用ハウジング３５とは、押出成形により同時に一体に形成されている（押出成形品の全体を符号３０で示す。）。この押出成形品３０は、この例では、接着剤によってガラス板１０の下面１０ｂに接着されている。
【００２８】
ここで、上辺１０ｃに沿ったカバー部材３６の内部と制御部用ハウジング３５の内部とロードセル用ハウジング３１，３２の内部とは連通している。また、辺１０ｅに沿ったカバー部材３７の内部とロードセル用ハウジング３１，３３の内部とは連通している。同様に、辺１０ｆに沿ったカバー部材３８の内部とロードセル用ハウジング３２，３４の内部とは連通している。
【００２９】
ガラス板１０の下面１０ｂ側には、４つのロードセル５１，５２，５３，５４と制御ボード２０とをそれぞれ接続する４つのロードセル用配線７１，７２，７３，７４と、図１中に示した４つの電極１，２，３，４と制御ボード２０とをそれぞれ接続する４つの電極用配線８１，８２，８３，８４とが設けられている。
【００３０】
ロードセル用配線７１は、ロードセル５１からロードセル用ハウジング３１の内部、さらにカバー部材３６の内部を通して、制御部用ハウジング３５内の制御ボード２０まで達している。電極用配線８１は、電極１から貫通穴４１、ロードセル用ハウジング３１の内部、さらにカバー部材３６の内部を通して、制御部用ハウジング３５内の制御ボード２０に達している。
【００３１】
同様に、ロードセル用配線７２は、ロードセル５２からロードセル用ハウジング３２の内部、さらにカバー部材３６の内部を通して、制御部用ハウジング３５内の制御ボード２０まで達している。電極用配線８２は、電極２から貫通穴４２、ロードセル用ハウジング３２の内部、さらにカバー部材３６の内部を通して、制御部用ハウジング３５内の制御ボード２０に達している。
【００３２】
ロードセル用配線７３は、ロードセル５３からロードセル用ハウジング３３の内部、カバー部材３７の内部、ロードセル用ハウジング３１の内部、さらにカバー部材３６の内部を通して、制御部用ハウジング３５内の制御ボード２０まで達している。電極用配線８３は、電極３から貫通穴４３、ロードセル用ハウジング３３の内部、カバー部材３７の内部ロードセル用ハウジング３１の内部、さらにカバー部材３６の内部を通して、制御部用ハウジング３５内の制御ボード２０に達している。
【００３３】
また、ロードセル用配線７４は、ロードセル５４からロードセル用ハウジング３４の内部、カバー部材３８の内部、ロードセル用ハウジング３２の内部、さらにカバー部材３６の内部を通して、制御部用ハウジング３５内の制御ボード２０まで達している。電極用配線８３は、電極４から貫通穴４４ロードセル用ハウジング３４の内部、カバー部材３８の内部、ロードセル用ハウジング３２の内部、さらにカバー部材３６の内部を通して、制御部用ハウジング３５内の制御ボード２０まで達している。
【００３４】
このように、この体重計９０では、４つのロードセル用配線７１，７２，７３，７４と４つの電極用配線８１，８２，８３，８４とが、ガラス板１０の下面１０ｂ側で押出成形品３０の内部に収容されている。したがって、見栄えを良くすることができる。
【００３５】
この体重計９０は、４つの脚６１，６２，６３，６４が図示しない床面に着いた状態で使用される。その状態で人がガラス板１０上に載ったとき、ガラス板１０を介してガラス板１０の下面１０ｂ側で四隅にそれぞれ配置された４つのロードセル５１，５２，５３，５４に荷重がかかる。それらの荷重は、それぞれロードセル５１，５２，５３，５４で電気信号に変換されて、それぞれロードセル用配線７１，７２，７３，７４を通して制御ボード２０へ送られる。制御ボード２０は、それらのロードセル用配線７１，７２，７３，７４を通して受けた電気信号に基づいて、それらの電気信号が表す荷重を合計して、人の体重を算出する。算出された体重は、図１中に示した表示部２２に表示される。
【００３６】
また、この体重計９０では、制御ボード２０による制御によって、４つの電極１，２，３，４を用いて四端子法により生体インピーダンス等を測定することができる。制御ボード２０は、測定された生体インピーダンスに基づいて、さらに体組成値等を算出する。
したがって、この体重計９０では、体重に加えて、体組成値等を表示部２２に表示することができる。
【００３７】
また、この体重計９０では、図２中に示したカバー部材３６，３７，３８が、ロードセル用配線７１，７２，７３，７４を収容するために、或る高さＨ（図３参照）を有する。したがって、この体重計９０は、ユーザがカバー部材３６，３７，３８に手の指を引っかけることでガラス板１０の周辺部を掴み易く、持ち運びし易い。
【００３８】
また、この体重計９０では、カバー部材３６，３７，３８は３辺１０ｃ，１０ｅ，１０ｆに沿って設けられている。したがって、カバー部材３６，３７，３８がガラス板１０の４辺に沿って設けられている場合に比して、カバー部材３６，３７，３８の材料を少なくでき、したがってコストを低減できる。
【００３９】
また、カバー部材３６，３７，３８と４つのロードセル用ハウジング３１，３２，３３，３４とが一体に形成されているので、ばらばらに形成されている場合に比して、体重計９０の組み立て工程が簡単かつ容易になる。また、カバー部材３６，３７，３８と４つのロードセル用ハウジング３１，３２，３３，３４とを、この例では押出成形によって同時に一体に形成しているので、コストを低減できる。
【００４０】
この実施形態では、カバー部材３６，３７，３８の断面は略Ｕ字状としたが、これに限られるものではない。カバー部材３６，３７，３８の断面は、例えば略コの字状、円弧状などであっても良い。
【００４１】
また、この実施形態では、カバー部材３６，３７，３８は、ガラス板１０の３辺１０ｃ，１０ｅ，１０ｆに沿って設けられているとしたが、これに限られるものではない。ユーザがガラス板１０の４辺のいずれでも掴み易いように、カバー部材を４辺に沿って設けても良い。
【００４２】
また、この実施形態では、ガラス板１０の平面形状は長方形としたが、これに限られるものではない。例えば図４（Ａ）、図４（Ｂ）に示す体重計９０′のように、ガラス板（符号１０′で示す。）の平面形状を正方形としても良い（なお、図４（Ａ）、図４（Ｂ）では、図１、図２中の構成要素と対応する構成要素には同じ符号を付している。）。これにより、ガラス板１０′の上面１０ａ側、下面１０ｂ側のレイアウトの自由度を高めることができる。例えば、スイッチ２１の数を３つから４つ（図４（Ａ）中に示す）に増やすなど、様々なレイアウトを採用し易くなる。
【符号の説明】
【００４３】
１０，１０′  ガラス板
２０  制御ボード
３１，３２，３３，３４  ロードセル用ハウジング
３５  制御部用ハウジング
３６，３７，３８  カバー部材
４１，４２，４３，４４  貫通穴
５１，５２，５３，５４  ロードセル
７１，７２，７３，７４  ロードセル用配線
８１，８２，８３，８４  電極用配線
【図１】
0003168424.tif 000003
【図２】
0003168424.tif 000004
【図３】
0003168424.tif 000005
【図４】
0003168424.tif 000006